(57)【特許請求の範囲】
【請求項１】
互いに異なる面である跳ね上げた状態の前面と回動した状態の上面との少なくとも二面の使用が可能な回動する座部と、前記座部に対して略平行で所定寸法だけ上方且つ後方に位置する支持部と、前記座部及び支持部を支持するフレーム部とを備え、回動した状態の座部の上面及び支持部を利用して、座部に臀部を下ろし、支持部に腰部或は背中下部を当接させて略立姿勢で着座できるとともに、跳ね上げた状態の座部の前面及び支持部を利用して、座部及び支持部に臀部を当接させて凭れることもできることを特徴とする立姿勢用シート。
【請求項２】
前記座部は、断面が略長方形であることを特徴とする請求項１に記載の立姿勢用シート。
【請求項３】
前記座部は、手動で回動することを特徴とする請求項１または請求項２に記載の立姿勢用シート。
【請求項４】
前記座部は、所定の駆動機構を利用して回動することを特徴とする請求項１乃至請求項３のいずれかに記載の立姿勢用シート。
【請求項５】
前記座部は、使用面が所定形状に湾曲したことを特徴とする請求項１乃至請求項４のいずれかに記載の立姿勢用シート。
【請求項６】
前記フレーム部は、座部と支持部との間の一方を開口状態としたことを特徴とする請求項１乃至請求項５のいずれかに記載の立姿勢用シート。
【請求項７】
前記フレーム部は、床或いは壁に片持状態で支持されていることを特徴とする請求項１乃至請求項６のいずれかに記載の立姿勢用シート。
【請求項８】
前記フレーム部は、床面に対して所定の傾斜角度を有して配設されていることを特徴とする請求項１乃至請求項７のいずれかに記載の立姿勢用シート。
【請求項９】
前記フレーム部は、所定の軸を支点に転換可能なことを特徴とする請求項１乃至請求項８のいずれかに記載の立姿勢用シート。
【請求項１０】
前記フレーム部は、折畳んで収納可能なことを特徴とする請求項１乃至請求項９のいずれかに記載の立姿勢用シート。
【請求項１１】
前記フレーム部は、高さ調節可能なことを特徴とする請求項１乃至請求項１０のいずれかに記載の立姿勢用シート。
【請求項１２】
前記フレーム部は、上方部に手掛部を有することを特徴とする請求項１乃至請求項１１のいずれかに記載の立姿勢用シート。
【請求項１３】
前記フレーム部は、下方部に足乗部を有することを特徴とする請求項１乃至請求項１２のいずれかに記載の立姿勢用シート。
【発明の詳細な説明】
【０００１】
【産業上の利用分野】
本発明は、立姿勢用シートに関するものであり、特に、バスや電車等の乗物、バスの停留所、コーヒーショップ等のサービスカウンターなどの各種の施設において広く使用でき、略立姿勢で着座できるとともに、凭れ掛かることもできる立姿勢用シートに関するものである。
【０００２】
【従来の技術】
従来より、バスや電車等の乗物においては、通常、四本脚のフレームに、所定の面積を有する板状の座部が略水平状態に配設され、この座部に対して所定の角度で背当部が配設された、所謂、椅子型の座席が使用されている。この種の座席は、座部にしっかり腰掛けるタイプの座席であり、バスや電車等の乗物に限らず、バスの停留所、コーヒーショップ等のサービスカウンター、映画館等の各種の施設においても広く使用されている。
【０００３】
また、従来より、例えば、映画館や劇場等においては、跳上式の折畳可能な座部を有する座席も使用されている。このような可動式の座部を有する座席として、実開平４−９３６４９号公報に記載のボラードベンチがある。
【０００４】
【発明が解決しようとする課題】
しかし、上記のような従来のしっかり腰掛けるタイプの椅子型の座席では、通常、所定の座席間隔を設けて配設する必要があり、複数個の座席を並べる場合に、座席個数を余り多くすることができなかった。このため、座席に座れる人の数が少なく、他の人は立っていなければならないこともあった。特に、多くの人が利用する乗物や施設の場合には、混雑すると殆どの人が立たなければならず、この場合には、座席や壁に凭れ掛っている人が多いのも事実であった。
【０００５】
そこで、本発明は、各種の乗物や施設において広く使用でき、略立姿勢で着座できるとともに、凭れることもできる立姿勢用シートの提供を課題とするものである。
【０００６】
【課題を解決するための手段】
請求項１の発明にかかる立姿勢用シートは、互いに異なる面である跳ね上げた状態の前面と回動した状態の上面との少なくとも二面の使用が可能な回動する座部と、前記座部に対して略平行で所定寸法だけ上方且つ後方に位置する支持部と、前記座部及び支持部を支持するフレーム部とを備え、回動した状態の座部の上面及び支持部を利用して、座部に臀部を下ろし、支持部に腰部或は背中下部を当接させて略立姿勢で着座できるとともに、跳ね上げた状態の座部の前面及び支持部を利用して、座部及び支持部に臀部を当接させて凭れることもできるものである。
請求項２の発明にかかる立姿勢用シートは、請求項１に記載のものにおいて、前記座部は、断面が略長方形のものである。
【０００７】
【０００８】
【０００９】
請求項３の発明にかかる立姿勢用シートは、請求項１または請求項２の座部を手動で回動するものである。
【００１０】
請求項４の発明にかかる立姿勢用シートは、請求項１乃至請求項３のいずれかの座部を所定の駆動機構を利用して回動するものである。
【００１１】
請求項５の発明にかかる立姿勢用シートは、請求項１乃至請求項４のいずれかの座部の使用面が所定形状に湾曲したものである。
【００１２】
請求項６の発明にかかる立姿勢用シートは、請求項１乃至請求項５のいずれかのフレーム部の座部と支持部との間の一方を開口状態としたものである。
【００１３】
請求項７の発明にかかる立姿勢用シートは、請求項１乃至請求項６のいずれかのフレーム部が床或いは壁に片持状態で支持されているものである。
【００１４】
請求項８の発明にかかる立姿勢用シートは、請求項１乃至請求項７のいずれかのフレーム部が床面に対して所定の傾斜角度を有して配設されているものである。
【００１５】
請求項９の発明にかかる立姿勢用シートは、請求項１乃至請求項８のいずれかのフレーム部が所定の軸を支点に転換可能なものである。
【００１６】
請求項１０の発明にかかる立姿勢用シートは、請求項１乃至請求項９のいずれかのフレーム部が折畳んで収納可能なものである。
【００１７】
請求項１１の発明にかかる立姿勢用シートは、請求項１乃至請求項１０のいずれかのフレーム部が高さ調節可能なものである。
【００１８】
請求項１２の発明にかかる立姿勢用シートは、請求項１乃至請求項１１のいずれかのフレーム部の上方部に手掛部を有するものである。
【００１９】
請求項１３の発明にかかる立姿勢用シートは、請求項１乃至請求項１２のいずれかのフレーム部の下方部に足乗部を有するものである。
【００２０】
【００２１】
【作用】
請求項１〜２の発明の立姿勢用シートによれば、フレーム部に支持され回動して少なくとも二面の使用が可能な座部、及び前記フレーム部に支持され前記座部に対して略平行で所定寸法だけ上方且つ後方に位置する支持部を利用して略立姿勢で着座できるとともに、凭れることもできることにより、簡易式のシートとして使用でき、設置スペースが狭くても配設できるとともに、使用に適した状態に座部を回動できる。
【００２２】
【００２３】
請求項３の発明の立姿勢用シートによれば、座部を手動で回動することにより、座部を手動で使用に適した状態にできる。
【００２４】
請求項４の発明の立姿勢用シートによれば、座部を所定の駆動機構を利用して回動することにより、座部を自動で使用に適した状態にできる。
【００２５】
請求項５の発明の立姿勢用シートによれば、座部の使用面が所定形状に湾曲していることにより、座部に利用者の体が沿い易い。
【００２６】
請求項６の発明の立姿勢用シートによれば、フレーム部の座部と支持部との間の一方を開口状態としたことにより、開口状態のところに大腿部を挿入できる。
【００２７】
請求項７の発明の立姿勢用シートによれば、フレーム部が床或いは壁に片持状態で支持されており、座部の下方の一方にしかフレーム部がなく、座部の下方の空間を広く活用できる。
【００２８】
請求項８の発明の立姿勢用シートによれば、フレーム部が床面に対して所定の傾斜角度を有して配設されており、この傾斜を利用して座部と支持部の寸法差を設けることができる。
【００２９】
請求項９の発明の立姿勢用シートによれば、フレーム部が所定の軸を支点に転換可能なことにより、適宜転換して使用向きを換えることができる。
【００３０】
請求項１０の発明の立姿勢用シートによれば、フレーム部が折畳んで収納可能なことにより、不使用時に立姿勢用シートを片付けることができる。
【００３１】
請求項１１の発明の立姿勢用シートによれば、フレーム部が高さ調節可能なことにより、利用者の背丈等に適した状態で使用することができる。
【００３２】
請求項１２の発明の立姿勢用シートによれば、フレーム部の上方部に手掛部を有することにより、この立姿勢用シートの近傍の人は適宜手掛部に手を掛けることができる。
【００３３】
請求項１３の発明の立姿勢用シートによれば、フレーム部の下方部に足乗部を有することにより、着座したときに足乗部に足を乗せることができる。
【００３４】
【実施例】
以下、本発明の各実施例について説明をする。図１は本発明の第一実施例である立姿勢用シートを示す斜視図、図２は本発明の第一実施例である立姿勢用シートの使用状態を示す斜視図であり、バス等の車両内に立姿勢用シートを配設したものである。
【００３５】
図１及び図２に示すように、この立姿勢用シートは、バス等の側壁に近接して配設されており、水平配置の断面略長方形の棒状の座部１０と、この座部１０に対して略平行で所定寸法だけ上方且つ後方に位置する水平配置の断面略円形の棒状の支持部２０と、この座部１０及び支持部２０を支持するフレーム部３０とを備えている。なお、座部１０の形状は、断面略長方形のものに限定されるものではなく、例えば、断面楕円形や、断面三角形等の多角形状であってもよく、また、板状であってもよい。支持部２０の形状も、断面略円形のものに限定されるものではなく、断面楕円形や、断面三角形等の多角形状であってもよい。特に、断面略長方形の棒状の座部１０及び支持部２０を採用した場合には、周囲の角部をＲ状に湾曲させることにより、人体を当接させた場合の違和感がない。
【００３６】
そして、座部１０は図１の矢印に示すように、転倒可能な構造になっており、支持部２０の上方のフレーム部３０には手掛部材３３が掛け渡されている。フレーム部３０は、座部１０及び支持部２０等を支持する連結部材３１，３２と、脚部材３４とで構成されており、脚部材３４の下端は床取付部材３５で床面に固着され、脚部材３４の側部は壁取付部材３６によってシート取付レール等を介して側壁に固着されている。つまり、このフレーム部３０は床及び壁を利用して片持状態で支持されており、しかも、床面に対して後方に所定の傾斜角度を有して配設されている。
【００３７】
したがって、この立姿勢用シートの座部１０を回転させて、座部１０及び支持部２０を利用して図２に示すように略立姿勢で着座することができる。また、この立姿勢用シートの近傍の人は、この立姿勢用シートの手掛部材３３に手を掛けた状態でバス等に乗車することができる。更に、後述するように立姿勢用シートに凭れることもできる。
【００３８】
次に、この立姿勢用シートの各構成部分について詳細に説明する。図３は本発明の第一実施例である立姿勢用シートを示す正面図、図４は平面図、図５は側面図である。図６の（ａ）は立姿勢用シートのフレーム部の脚部材に接続される連結部材を示す正面図、（ｂ）は側面図、図７の（ａ）は立姿勢用シートのフレーム部の脚部材に接続されない連結部材を示す正面図、（ｂ）は側面図、図８の（ａ）は立姿勢用シートの座部内部のクッションフレームの要部を示す平面図、（ｂ）は側面図、（ｃ）は正面図である。
【００３９】
図３乃至図７に示すように、座部１０の周囲はクッション１１によって覆われており、このクッション１１の内部にはクッションフレーム１２が配設されている。座部１０はクッションフレーム１２の回転軸１３を中心に回動し、回転軸１３は両端がチューブ１３ａで中央部がパイプ１３ｂで構成されている。また、チューブ１３ａから所定の寸法だけ離れた位置にガイドピン１４がチューブ１３ａに対して平行状態に配設されている。これらの回転軸１３及びガイドピン１４はチャンネル１５によって支持されており、クッションフレーム１２の左右に位置するチャンネル１５は回転軸１３によって連結されているとともに、端部は抑材１６によって連結されている。そして、このチャンネル１５と抑材１６の間には木製あるいは合成樹脂製の横渡板１７が介装されている。
【００４０】
支持部２０の周囲もクッション２１によって覆われており、このクッション２１の内部にはパイプ状のフレーム２２が配設されている。座部１０のクッション１１及び支持部２０のクッション２１の材質は、ウレタン、発泡ゴム等のクッション性のあるものが採用されている。なお、ここでは支持部２０は固定式となっている。
【００４１】
上記の座部１０及び支持部２０はフレーム部３０の２本の連結部材３１，３２によって支持されている。つまり、各連結部材３１，３２の座部取付部３１ａ，３２ａに座部１０の回転軸１３の両端のチューブ１３ａが各々挿入され、各連結部材３１，３２のガイド溝３１ｂ，３２ｂに座部１０のガイドピン１４が各々挿入されている。回転軸１３の一方のチューブ１３ａにはスプリング１８が介装され、このスプリング１８の一方の端部は連結部材３１の孔３１ｃに挿入され、スプリング１８の他方の端部はクッションフレーム１２のガイドピン１４に係止されている。座部１０に何の力も作用していない場合には、座部１０は上方に跳上がった状態（図３及び図５の二点鎖線の状態）となっており、座部１０を手動で回転させることにより、スプリング１８の付勢力に抗して略水平状態（図３及び図５の実線の状態）になる。つまり、座部１０は図３及び図５の実線の状態から、図３及び図５の二点鎖線の状態にスプリング１８の付勢力を利用して自動復帰するようになっている。なお、ここではスプリング１８をフレーム部３０の連結部材３１側のみに介装したが、他方の連結部材３２側にも介装できる。
【００４２】
また、連結部材０１，３２のガイド溝３１ｂ，３２ｂ内の孔３１ｄ，３２ｄを利用して、クッションフレーム１２のガイドピン１４が当接する当接部材（図示せず）が配設されており、座部１０の回動範囲が規制されている。各連結部材３１，３２の支持部取付部３１ｅ，３２ｅには支持部２０のフレーム２２の端部が各々挿入されており、手掛取付部３１ｆ，３２ｆには手掛部材３３の両端が各々挿入されている。
【００４３】
連結部材３１の接続部３１ｇには、脚部材３４が固着されており、脚部材３４の下端には床取付部材３５が、脚部材３４の側部には壁取付部材３６が各々取付けられている。なお、ここでは連結部材３１と脚部材３４とが別部材からなる分割式のフレーム部３０について示したが、連結部材３１と脚部材３４とを一体成形したものであってもよい。
【００４４】
上記のような構成の立姿勢用シートは、図９及び図１０のような状態で使用することができる。図９は本発明の第一実施例である立姿勢用シートに略立姿勢で凭れた状態を示す側面図、図１０は本発明の第一実施例である立姿勢用シートに略立姿勢で着座した状態を示す側面図である。
【００４５】
例えば、座部１０を跳上げた状態のままでは、図９に示すように、座部１０及び支持部２０に臀部を当接させ、座部１０及び支持部２０を利用して略立姿勢で凭れることができる。この場合、フレーム部３０の手掛部材３３に肘を掛けることもできる。また、座部１０を回動した状態では、図１０に示すように、座部１０に臀部を下ろし、支持部２０に腰部或いは背中下部を当接させ、座部１０及び支持部２０を利用して略立姿勢で着座することができる。
【００４６】
このように、本実施例の立姿勢用シートは、回動して少なくとも二面の使用が可能な水平配置の断面略長方形の略棒状の座部１０と、前記座部１０に対して略平行で所定寸法だけ上方且つ後方に位置する水平配置の断面略円形の略棒状の支持部２０と、前記座部１０及び支持部２０を支持するフレーム部３０とを備え、前記座部１０及び支持部２０を利用して略立姿勢で着座できるとともに、凭れることもできるものである。
【００４７】
したがって、簡易式のシートとして使用でき、設置スペースが狭くても配設できるので、従来のような板状の座部を使用したしっかり腰掛けるタイプの椅子型の座席に比べ、シートピッチを狭くすることができ、座席個数を増加させることができる。このため、多くの人が利用する乗物や施設において広く使用することができ、混雑する場合等に都合がよいので、バスや電車等の乗物に限らず、バスの停留所、コーヒーショップ等のサービスカウンター、映画館等の各種の施設においても広く使用できる。
【００４８】
特に、本実施例においては、座部１０がフレーム部３０の連結部材３１，３２に回動自在に支持されており、座部１０が回動して二面の使用が可能であるので、座部１０を回動し、着座する場合と、凭れる場合とで、座部１０の使用面を変え、使用に適した状態にできるので、使い勝手がよい。しかも、座部１０がスプリング１８の付勢力によって自動的に戻るので、不使用状態では座部１０が常に同一の状態になり、見栄えもよい。このスプリング１８も必ずしも装着する必要性はなく、スプリング１８がない場合には、座部１０は手動で回動させたままの状態で保持される。こうした手動で回動する構成を採用する場合には、バネ等の弾性力を利用したストッパ機構を組込むことにより、所定の力が作用しない限り、座部１０が図３及び図５の実線の状態と、図３及び図５の二点鎖線の状態とで各々保持されるようにするのが好ましい。なお、本実施例では、回転軸１３を中心に回動する座部１０について述べたが、例えば、蝶番等を使用して座部１０が回動するように構成してもよい。また、支持部２０をフレーム部３０の連結部材３１，３２に回動自在に支持してもよい。
【００４９】
なお、上記実施例では、座部１０を手動で回動する簡易式の回動機構について説明したが、所定の駆動機構を利用して自動で回動するようにしても構わない。この駆動機構としては、例えば、モータによる電気式のものや、油圧式のものを利用することができる。座部１０を所定の駆動機構を利用して自動で回動するようにすれば、手動で座部１０を回動させる手間が省けるとともに、高級感がある。なお、座部１０を固定式にしてもよく、この場合は立姿勢用シートの構造を極めて簡素化できるという利点がある。また、座部１０の使用面であるクッション１１の表面を人体の形状に沿うように凹面状に湾曲させれば、座部１０に利用者の体が沿い易く、極めて快適な状態で着座したり、凭れたりできるので、使い心地がよい。更に、座部１０を断面三角形等の多角形状とし、回動可能な構成を採用すれば、直前に使用され他人の体温で暖まった使用面を使用することなく、座部１０の他の使用面を使用することができる。
【００５０】
当然のことながら、支持部２０も上記座部１０と同様にフレーム部３０に回動可能な状態で取付けたり、支持部２０のクッション２１の表面を人体の形状に沿うように湾曲させてもよい。
【００５１】
フレーム部３０も、本実施例では、２本の連結部材３１，３２で座部１０及び支持部２０を支持するものについて説明したが、座部１０と支持部２０との間の一方を開口状態としてもよい。例えば、立姿勢用シートの座部１０と支持部２０との通路側を開口状態にすれば、開口状態のところに大腿部を挿入できるので、斜に着座することもできる。
【００５２】
また、本実施例では、フレーム部３０が床及び壁に片持状態で支持されており、座部１０の壁側の下方にしかフレーム部３０がなく、座部１０の下方の空間を広く活用できるので、立っている人の足先や膝等がフレーム部３０に接触することがなく、荷物等を置くこともできる。なお、本実施例では、フレーム部３０が床及び壁に片持状態で支持されているが、側壁のみを利用してフレーム部３０を片持状態で支持したり、或いは、床面のみを利用してフレーム部３０を片持状態で支持してもよい。壁取付部材３６も、本実施例では、フレーム部３０の脚部材３４に配設したが、この位置よりも更に上方の連結部材３１に壁取付部材３６を配設してもよい。しかしながら、フレーム部３０を床や壁に片持状態で支持する場合には、力学的に安定する位置を選定するのが好ましい。
【００５３】
しかも、フレーム部３０が床面に対して後方に所定の傾斜角度を有して配設されているので、フレーム部３０の一直線上に座部１０と支持部２０とが位置していても、この傾斜を利用して座部１０と支持部２０とに垂直方向及び水平方向に対して所定の寸法差を設けることができ、この傾斜に沿って凭れたり、傾斜を利用して着座したりできる。しかし、あまりにも傾斜角度が緩か過ぎたり、急過ぎると、凭れるのに不便であるので、通常、床面から６０度乃至８０度程度の傾斜角度を採用するのが好ましい。
【００５４】
さらに、本実施例の立姿勢用シートでは、フレーム部の上方部に手掛部材３３が渡され、この手掛部材３３が手掛部として機能するので、この立姿勢用シートの近傍の人は適宜手掛部材３３に手を掛けることができる。したがって、この立姿勢用シートをバス等の乗物に使用した場合には、立っている乗客の安全性も高まる。
【００５５】
続いて、この立姿勢用シートの第二実施例について説明する。図１１は本発明の第二実施例である立姿勢用シートを示す正面図、図１２は本発明の第二実施例である立姿勢用シートを示す側面図である。
【００５６】
図１１及び図１２に示すように、この立姿勢用シートは、水平配置の断面略円形の棒状の座部４０と、この座部４０に対して略平行で所定寸法だけ上方且つ後方に位置する水平配置の断面略円形状の棒状の支持部５０と、この座部４０及び支持部５０を支持するフレーム部６０とを備えている。フレーム部６０は、座部４０及び支持部５０を支持する連結部材６１と、２本の脚部材６２とで構成され、各脚部材６２の下端には床取付部材６３が溶接等により固着されている。そして、床取付部材６３は補強部材等によって脚部材６２に強固に固着され、この床取付部材６３で床面に固着されている。なお、ここでは一体式のフレーム部６０としたが、上記第一実施例のように組立式としても構わない。座部４０の形状は、断面略円形状のものに限定されるものではなく、例えば、断面楕円形や、断面三角形あるいは四角形等の多角形状としてもよい。支持部５０の形状も、断面略円形のものに限定されるものではなく、断面楕円形や、断面三角形等の多角形状であってもよい。
【００５７】
座部４０の周囲はクッション４１によって覆われており、このクッション４１の内部にはパイプ状のフレーム４２が配設されている。支持部５０の周囲もクッション５１によって覆われており、このクッション５１の内部にはパイプ状のフレーム５２が配設されている。なお、座部４０及び支持部５０の各クッション４１，５１の材質は、ウレタン、発泡ゴム等のクッション性のあるものが採用されている。
【００５８】
上記の座部４０及び支持部５０はフレーム部６０の略逆Ｕ字状の連結部材６１によって支持されており、フレーム部６０の連結部材６１の支持部５０上方には手掛部６１ａが形成されている。なお、この座部４０及び支持部５０は固定式である。
【００５９】
この立姿勢用シートも、上記実施例と略同様に、座部４０に臀部を下ろし、支持部５０に腰部或いは背中下部を当接させ、座部４０及び支持部５０を利用して略立姿勢で着座できるとともに、座部４０及び支持部５０に臀部を当接させ、凭れることもできる。また、この立姿勢用シートの近傍の人は、フレーム部６０の手掛部６１ａに手を掛けた状態でバス等に乗車することができる。
【００６０】
このように、本実施例の立姿勢用シートは、水平配置の断面略円形の略棒状の座部４０と、前記座部４０に対して略平行で所定寸法だけ上方且つ後方に位置する水平配置の断面略円形の略棒状の支持部５０と、前記座部４０及び支持部５０を支持するフレーム部６０とを備え、前記座部４０及び支持部５０を利用して略立姿勢で着座できるとともに、凭れることもできるものである。
【００６１】
したがって、本実施例も上記第一実施例と同様に、簡易式のシートとして使用でき、設置スペースが狭くても配設できるので、従来のような板状の座部を採用したしっかり腰掛けるタイプの椅子型の座席に比べ、シートピッチを狭くすることができ、座席個数を増加させることができる。このため、多くの人が利用する乗物や施設において広く使用することができ、混雑する場合等に都合がよいので、バスや電車等の乗物に限らず、バスの停留所、コーヒーショップ等のサービスカウンター、映画館等の各種の施設においても広く使用できる。
【００６２】
また、図１１及び図１２の二点鎖線に示すように、座部４０と支持部５０との間に掛渡部７０を掛け渡せば、座部４０、支持部５０及び掛渡部７０を利用して略立姿勢で安定した状態で着座できるとともに、凭れることもできる。この掛渡部７０は、例えば、布状あるいは網目状のもので、所定の変形自由度を有するものであり、材質は布に限らず、合成樹脂等を採用してもよく、通常、所定の垂みを有して掛け渡されている。なお、掛渡部７０に伸縮性の素材あるいき機構を採用すれば、座部４０と支持部５０との間に直線状に掛け渡しても構わない。要するに、掛渡部７０は、臀部等の人体の形状に沿い易いものが好ましい。
【００６３】
なお、本実施例では、座部４０が固定式のものについて説明したが、上記第一実施例と同様に、座部４０をフレーム部６０の連結部材６１に回動自在に支持してもよい。このように座部４０を回動可能にすれば、上記第一実施例のように、座部４０が回動して二面の使用が可能になるので、座部４０を回動し、着座する場合と、凭れる場合とで、座部４０の使用面を変えることにより、使用に適した状態にすることができるので、使い勝手がよい。この場合の座部４０の回動機構も、手動による簡易式の機構に限らず、所定の駆動機構を利用して自動で回動するようにしても構わない。また、座部４０の使用面であるクッション４１の表面を人体の形状に沿うように凹面状に湾曲させれば、座部４０に利用者の体が沿い易いので、極めて快適な状態で着座したり、凭れたりでき、使い心地がよい。更に、断面三角形等の多角形状の座部４０とし、回動可能な構成を採用すれば、直前に使用され他人の体温で暖まった使用面を使用することなく、座部４０の他の使用面を使用することができる。同様に、支持部５０をフレーム部６０に回動自在に支持してもよい。
【００６４】
フレーム部６０も、本実施例では、１本の略逆Ｕ字状の連結部材６１で座部４０及び支持部５０を支持するものについて説明したが、分割式の連結部材６１で座部４０及び支持部５０を支持するようにしてもよく、座部４０と支持部５０との間の一方を開口状態としてもよい。また、本実施例では、フレーム部６０が２本の脚部材６２で床に支持するものについて説明したが、上記第一実施例と同様に、フレーム部６０が床及び壁に片持状態で支持されるようにしても構わない。更に、フレーム部６０が床面に対して後方に所定の傾斜角度を有して配設されるようにしてもよい。
【００６５】
ところで、上記各実施例の立姿勢用シートでは、フレーム部３０，６０が固定式のものについて説明したが、フレーム部３０，６０を転換式にしてもよい。図１３の（ａ）は本発明の他の実施例である転換式の立姿勢用シートを示す説明図であり、（ｂ）はシート取付レールを示す正面図、（ｃ）は案内溝を示す正面図である。なお、図中、上記各実施例と同一符号は上記各実施例と同一または相当する構成部分である。
【００６６】
図１３の（ａ）に示すように、フレーム部３０を最下端である床取付部（Ａ点）を支点に前後に転換可能にしてもよく、或いは、Ｂ点を支点にフレーム部３０の途中で折れて前後に転換可能にしてもよい。更には、Ｃ点、Ｄ点を支点に前後に転換可能なようにしてもよい。この場合の転換方式は、図１３の（ｂ）に示すような側壁のシート取付レールに沿うように案内されて転換するものでも、（ｃ）に示すような案内溝に沿って転換するものでもよく、或いは、フレーム部３０自身に転換軸を組込み、フレーム部３０が独立して転換するものでもよい。このフレーム部３０の転換機構は、手動式であっても、電動式であっても、或いは、油圧や空気圧等の流体圧を利用したフリーロック式であってもよい。特に、電動式の転換機方式を採用すれば、車内の各立姿勢用シートの向きを一斉に転換することができる。
【００６７】
このように、フレーム部が所定の軸を支点に転換可能な構造の立姿勢用シートにおいては、適宜転換して使用向きを換えることができるので、例えば、電車等の車両に配した場合には、進行方向に応じてフレーム部３０を転換することにより、利用者は進行方向に向って、着座したり、凭れたりすることができる。また、知人と、前後で向き合って、着座したり、凭れたりすることもできる。
【００６８】
また、上記各実施例では、立姿勢用シートが常に使用可能な状態に配設されている場合について説明したが、フレーム部を折畳んで収納可能なようにしてもよい。例えば、バス等の乗物の側壁面に折畳めるようにすれば、不使用時に立姿勢用シートを片付けることができるので、特に、混雑する場合には、立姿勢用シートを片付けて通路幅等を拡大することにより、車内全体の立席が拡大し、多数の乗客等が乗車することができる。そして、折畳んだ状態の立姿勢用シートの座部に凭れることもできる。この折畳機構も、手動式、電動式、或いは、油圧や空気圧等の流体圧を利用した方式等任意の方式を採用することができる。
【００６９】
例えば、図１４は本発明の他の実施例である収納式の立姿勢用シートを示す側面図及び平面図である。
【００７０】
この収納式の立姿勢用シートは、図１４の（ａ）に示すように、まず、立姿勢用シートの座部１０を上方に回動させ、傾斜状態のフレーム部３０を、図１４の（ｂ）に示すように、フレーム部の下端を支点に床面に対して垂直状態にし、この後、図１４の（ｃ）に示すように、フレーム部３０の側壁側を支点に立姿勢用シートを回動させて、折畳むことにより収納するものである。また、この収納部となる壁に所定の凹部を形成し、立姿勢用シート全体が凹部に収納できるようにすれば、収納状態において、壁面が面一となり、余分な突起物がなくなるので、壁面側の通路を通る人の邪魔にならない。したがって、このような構造の立姿勢用シートを劇場等の側面に配設すれば、立姿勢用シートの利用者のみならず、観客の入替え時等にも極めて便利である。
【００７１】
さらに、フレーム部の高さ調節を可能にすれば、利用者の背丈等に適した状態で使用することができる。このため、背の高い人から低い人まで、立姿勢用シートを適正な高さにして着座したり、凭れたりすることができ、大人から子供まで幅広くの人が利用できる。この高さ調節機構も、上記の転換機構や、折畳機構と同様に、油圧式、空気圧式、電動式のフリーロックを用いることができ、機械的な機構としては、ギヤとラック、スクリュー、スライド、スライドスクリュー、ヘリカルギヤとスクリュー等の方法がある。
【００７２】
更にまた、フレーム部３０の下方部に足乗部を設ければ、一段と利用者の背丈等に適した状態で使用することができる。図１５は本発明の他の実施例である足乗付の立姿勢用シートを示す正面図である。なお、図中、上記各実施例と同一符号は上記各実施例と同一または相当する構成部分である。
【００７３】
図１５の（ａ）に示すように、フレーム部３０と一体のパイプ式で足乗部３７を形成してもよく、また、図１５の（ｂ）に示すように、フレーム部３０の脚部材３４に折畳式の足乗部３８を設けてもよい。折畳式の足乗部３８を採用すれば、必要に応じて足乗部３８を倒したり、折畳んだりすることができる。この場合、折畳式の足乗部３８にスプリング等を組込んで、スプリングにより不使用時には自動的に足乗部３８が折畳まれるようにすれば一段と使い勝手がよい。なお、図１５では足乗部３７，３８を上記第一実施例の立姿勢用シートに取付けた場合について述べたが、当然のことながら、上記第二実施例の立姿勢用シートにも利用できるだけでなく、他の立姿勢用シートにも利用できる。
【００７４】
この他にも、フレーム部３０が前後に中折れして傾斜角度が適宜変化するようにしたり、フレーム部３０全体の傾斜角度が変化するようにし、所謂、リクライニング機構を組込んでもよい。
【００７５】
図１６は本発明の他の実施例である立姿勢用シートの各応用例を示す正面図である。なお、図中、上記各実施例と同一符号は上記各実施例と同一または相当する構成部分である。
【００７６】
図１６の（ａ）は、フレーム部３０に補強部材７１を挿入したものであり、補強部材７１を適宜挿入することにより、フレーム部３０の強度を向上させることができる。また、補強部材７１をフレーム部３０に一体に組込んでフレーム部３０自体の形状を適宜変更させてもよい。図１６の（ｂ）は、フレーム部３０の脚部材３４の下端と床面との間に所定の隙間７２を設けた立姿勢用シートである。このような隙間７２を設ければ、箒等による床面の清掃が簡単にできる。図１６の（ｃ）は、脚部材を使用することなく、連結部材３１，３２のみでフレーム部３０を構成したものであり、脚部材を使用できない場合等には都合がよい。図１６の（ｄ）は、二人掛け用の立姿勢用シートであり、上記説明では、主に一人掛けの立姿勢用シートについて説明したが、図１６の（ｄ）に示すように二人掛け用にしたり、この他三人以上の複数人が同時に掛けられるようにしてもよい。また、二人掛け用の立姿勢用シートは、別個独自のフレーム部で構成してもよく、一人掛け用のフレーム部を利用して２個連設して構成しても構わない。
【００７７】
図１７は本発明の他の実施例である立姿勢用シートの他の各応用例を示す側面図である。なお、図中、上記各実施例と同一符号は上記各実施例と同一または相当する構成部分である。
【００７８】
図１７の（ａ）は、フレーム部３０に固定式の肘掛８１を取付けたものであり、立姿勢用シートを利用する乗客等が肘掛８１に肘を掛けることができるだけでなく、この肘掛８１によって乗客に作用する横方向の荷重に対する飛出しを防止することができる。また、この立姿勢用シートの近傍の人は適宜肘掛８１に手を掛けることができ、肘掛８１が手掛部としての機能も果すので、この立姿勢用シートをバス等の乗物に使用した場合には、立っている乗客の安全性も高まる。図１７の（ｂ）は、フレーム部３０に可動式の肘掛８２を取付けたものであり、必要に応じて肘掛８２を使用することができ、この肘掛８２によって乗客に作用する横方向の荷重に対する飛出しを防止することができるとともに、この肘掛８２が立姿勢用シートから離れる場合に邪魔にならない。図１７の（ｃ）は、フレーム部３０にスタンションパイプ８３を接続したものであり、このスタンションパイプ８３の先端は天井等に固定されている。このようなスタンションパイプ８３を設ければ、乗客に作用する横方向の荷重による飛出しを防止できるとともに、この立姿勢用シートをバス等の乗物に使用した場合に、スタンションパイプ８３の付近に立っている乗客が直ちにスタンションパイプ８３を掴むことができるので、乗客等の安全性が一段と高まる。しかも、フレーム部３０の端部がスタンションパイプ８３によって天井から吊られた状態になっているので、単なる片持状態の立姿勢用シートに比べて、力学的に安定感が増す。
【００７９】
また、上記各実施例では、１つの支持部２０，５０を有する立姿勢用シートについて説明したが、複数本の支持部２０，５０を配設しても構わない。
【００８０】
【００８１】
【発明の効果】
以上のように、請求項１〜２の発明の立姿勢用シートは、フレーム部に支持され回動して少なくとも二面の使用が可能な座部、及び前記フレーム部に支持され前記座部に対して略平行で所定寸法だけ上方且つ後方に位置する支持部を利用して略立姿勢で着座できるとともに、凭れることもできることにより、簡易式のシートとして使用でき、設置スペースが狭くても配設できるので、座席個数を増加させることができ、多くの人が利用する乗物や施設において広く使用することができる。しかも、使用に適した状態に座部を回動できるので、使い勝手がよい。
【００８２】
【００８３】
請求項３の発明の立姿勢用シートは、座部を手動で回動することにより、座部を手動で使用に適した状態にできるので、使い勝手がよい。
【００８４】
請求項４の発明の立姿勢用シートは、座部を所定の駆動機構を利用して回動することにより、座部を自動で使用に適した状態にできるので、手動で座部を回動させる手間が省け、使い勝手がよく、高級感がある。
【００８５】
請求項５の発明の立姿勢用シートは、座部の使用面が所定形状に湾曲していることにより、座部に利用者の体が沿い易いので、極めて快適な状態で着座したり、凭れたりでき、使い心地がよい。
【００８６】
請求項６の発明の立姿勢用シートは、フレーム部の座部と支持部との間の一方を開口状態としたことにより、開口状態のところに大腿部を挿入できるので、斜に着座することもできる。
【００８７】
請求項７の発明の立姿勢用シートは、フレーム部が床或いは壁に片持状態で支持されており、座部の下方の一方にしかフレーム部がなく、座部の下方の空間を広く活用できるので、立っている人の足先や膝等がフレーム部に接触することもなく、荷物等を置くこともできる。
【００８８】
請求項８の発明の立姿勢用シートは、フレーム部が床面に対して所定の傾斜角度を有して配設されており、この傾斜を利用して座部と支持部の寸法差を設けることができるので、この傾斜に沿って凭れたり、傾斜を利用して着座したりできる。
【００８９】
請求項９の発明の立姿勢用シートは、フレーム部が所定の軸を支点に転換可能なことにより、適宜転換して使用向きを換えることができるので、利用者は進行方向に向って、着座したり、凭れたりすることができるとともに、知人と、前後で向き合って、着座したり、凭れたりすることもできる。
【００９０】
請求項１０の発明の立姿勢用シートは、フレーム部が折畳んで収納可能なことにより、不使用時に立姿勢用シートを片付けることができるので、混雑する場合等には立姿勢用シートを片付けて通路幅等を拡大することができる。
【００９１】
請求項１１の発明の立姿勢用シートは、フレーム部が高さ調節可能なことにより、利用者の背丈等に適した状態で使用することができるので、大人から子供まで幅広くの人が利用できる。
【００９２】
請求項１２の発明の立姿勢用シートは、フレーム部の上方部に手掛部を有することにより、この立姿勢用シートの近傍の人は適宜手掛部に手を掛けることができるので、この立姿勢用シートをバス等の乗物に使用した場合には、立っている乗客の安全性も高まる。
【００９３】
請求項１３の発明の立姿勢用シートは、フレーム部の下方部に足乗部を有することにより、着座したときに足乗部に足を乗せることができるので、一段と利用者の背丈等に適した状態で使用することができる。
【図面の簡単な説明】
【図１】本発明の第一実施例である立姿勢用シートを示す斜視図である。
【図２】本発明の第一実施例である立姿勢用シートの使用状態を示す斜視図である。
【図３】本発明の第一実施例である立姿勢用シートを示す正面図である。
【図４】本発明の第一実施例である立姿勢用シートを示す平面図である。
【図５】本発明の第一実施例である立姿勢用シートを示す側面図である。
【図６】立姿勢用シートのフレーム部の脚部材に接続される連結部材を示す正面図及び側面図である。
【図７】立姿勢用シートのフレーム部の脚部材に接続されない連結部材を示す正面図及び側面図である。
【図８】立姿勢用シートの座部内部のクッションフレームの要部を示す平面図、側面図及び正面図である。
【図９】本発明の第一実施例である立姿勢用シートに略立姿勢で凭れた状態を示す側面図である。
【図１０】本発明の第一実施例である立姿勢用シートに略立姿勢で着座した状態を示す側面図である。
【図１１】本発明の第二実施例である立姿勢用シートを示す正面図である。
【図１２】本発明の第二実施例である立姿勢用シートを示す側面図である。
【図１３】本発明の他の実施例である転換式の立姿勢用シートを示す側面図、シート取付レール及び案内溝を示す正面図である。
【図１４】本発明の他の実施例である収納式の立姿勢用シートを示す側面図及び平面図である。
【図１５】本発明の他の実施例である足乗付の立姿勢用シートを示す正面図である。
【図１６】本発明の他の実施例である立姿勢用シートの各応用例を示す正面図である。
【図１７】本発明の他の実施例である立姿勢用シートの他の各応用例を示す側面図である。
【符号の説明】
１０，４０    座部
１１    クッション
１２    クッションフレーム
１３    回転軸
１４    ガイドピン
１８    スプリング
２０，５０    支持部
２１    クッション
２２    フレーム
３０，６０    フレーム部
３１，３２，６１    連結部材
３１ｂ，３２ｂ    ガイド溝
３３    手掛部材
３４，６２    脚部材
３５，６３    床取付部材
３６    壁取付部材
６１ａ    手掛部
７０    掛渡部
【図１】
0003586300.tif 000002
【図２】
0003586300.tif 000003
【図３】
0003586300.tif 000004
【図４】
0003586300.tif 000005
【図５】
0003586300.tif 000006
【図６】
0003586300.tif 000007
【図７】
0003586300.tif 000008
【図８】
0003586300.tif 000009
【図９】
0003586300.tif 000010
【図１０】
0003586300.tif 000011
【図１１】
0003586300.tif 000012
【図１２】
0003586300.tif 000013
【図１３】
0003586300.tif 000014
【図１４】
0003586300.tif 000015
【図１５】
0003586300.tif 000016
【図１６】
0003586300.tif 000017
【図１７】
0003586300.tif 000018